(57)【要約】【課題】リードスイッチの組付作業に伴う瞬間的な衝撃による荷重が発生してもリードスイッチの接点が変形することを防止できるリードスイッチの組付構造及び組付方法を提供する。また、多数個のリードスイッチを輸送する際に生じる接点の変形を防止することが可能なリードスイッチの輸送構造及び輸送方法を提供する。【解決手段】本発明にかかるリードスイッチの組付構造は、リードスイッチを実装した基板が組み付けられる成型品を支持する組立用パレットに、前記成型品に対する前記基板の組み付け中は前記リードスイッチの接点を閉操作する磁石を設けたことを特徴とする。本発明にかかるリードスイッチの輸送構造は、多数個のリードスイッチを収納する輸送用容器に、前記リードスイッチの接点を一括して閉操作する磁石を設けたことを特徴としている。【選択図】  図１
2004288529.tif 000002
【特許請求の範囲】
【請求項１】
リードスイッチを実装した基板が組み付けられる成型品を支持する組立用パレットに、前記基板の組み付け中は前記リードスイッチの接点を閉操作する磁石を設けたことを特徴とするリードスイッチの組付構造。
【請求項２】
リードスイッチを実装した基板を成型品に組み付ける時は、前記リードスイッチの接点を閉操作する磁石を前記組立用パレットに設けることを特徴とするリードスイッチの組付方法。
【請求項３】
多数個のリードスイッチを収納する輸送用容器に、前記リードスイッチの接点を一括して閉操作する磁石を設けたことを特徴とするリードスイッチの輸送構造。
【請求項４】
磁石を電磁石とし、かつ、輸送後のリードスイッチを輸送用容器から取り出す時の前記電磁石は通電が停止されるものであることを特徴とする請求項３に記載したリードスイッチの輸送構造。
【請求項５】
多数個のリードスイッチを輸送用容器に収納して輸送する時は、前記リードスイッチの接点を一括して閉操作する磁石を前記輸送用容器に設けることを特徴とするリードスイッチの輸送方法。
【請求項６】
磁石を電磁石とし、かつ、輸送後のリードスイッチを輸送用容器から取り出す時の前記電磁石は通電が停止されることを特徴とする請求項５に記載したリードスイッチの輸送方法。
【発明の詳細な説明】
【０００１】
【発明の属する技術分野】
本発明は、リードスイッチの組付構造及び組付方法、並びに、その輸送構造及び輸送方法に関する。
【０００２】
【従来の技術】
従来から、リードスイッチが組み込まれた電子機器の例としては、ワイヤレス発信器、つまり、微弱電波を利用して別置された受信器にセキュリティー信号を送信するワイヤレス発信器が知られている（例えば、特許文献１及び特許文献２参照）。この種のワイヤレス発信器は、防犯センサーや火災センサー等に付設されたり、看護を要する独り寝の病人が看護人に緊急事態を報知したりする際に使用されるのが一般的である。
【０００３】
そして、図示省略しているが、特許文献１に示されたワイヤレス発信器では、リードスイッチを含む各種の電子部品が実装された回路基板を樹脂製の成型品であるケース本体の内部に組み付け、回路基板の露出面を着脱自在なケース蓋で覆うことが行われる。また、特許文献２で示されたワイヤレス発信器においては、弾性を有する気泡性樹脂をケース本体の内部に充填し、かつ、リードスイッチを気泡性樹脂中に埋設することが実行されている。
【０００４】
【特許文献１】
実公平６−３５５５３号公報
【０００５】
【特許文献２】
特開昭５３−６１０４７号公報
【０００６】
【発明が解決しようとする課題】
特許文献１で示されたワイヤレス発信器におけるリードスイッチの組付構造では、図４で示すように、成型品である本体ケース１を支持する組立用パレット２を用意し、かつ、この組立用パレット２で本体ケース１を支持した後、リードスイッチ３が実装された回路基板４を本体ケース１に組み付けることが行われる。次に、回路基板４が組み付けられた本体ケース１の開放面はケース蓋５で閉塞されることになり、この際、ケース蓋５に設けられた係止部５ａの各々は、本体ケース１の所定位置ごとに設けられた被係止部１ａにはめ込んで係合される。
【０００７】
ところが、このような組付構造である場合には、本体ケース１の被係止部１ａにケース蓋５の係止部５ａをはめ込んで係合するのに伴って瞬間的な衝撃が発生し、回路基板４に実装されたリードスイッチ３に対して衝撃による荷重が作用することがある。その結果、図４中の拡大図で示すように、リードスイッチ３の接点同士が離反する方向（矢印で示す）へ拡がって塑性変形することがあり、このようになっていると、リードスイッチ３本来の機能が実現できなくなる。
【０００８】
一方、特許文献２で開示されたリードスイッチの組付構造であれば、リードスイッチが気泡性樹脂中に埋設されているので、衝撃が伝わりにくく、その結果として衝撃による荷重の作用に伴ってリードスイッチ３の接点が変形することは起こりがたい。しかしながら、気泡性樹脂をケース本体の内部に充填したうえでリードスイッチを埋設しなければならず、リードスイッチの組付作業に煩わしい手間を要してしまう。
【０００９】
本発明はこれらの不都合に鑑みて創案されたものであり、リードスイッチの組付作業に伴う瞬間的な衝撃による荷重が発生してもリードスイッチの接点が変形することはなく、変形防止に煩わしい手間を要することもないリードスイッチの組付構造及び組付方法を提供することを目的としている。また、多数個のリードスイッチを輸送する場合にも上記同様の不都合が生じるので、これらの不都合を生じる恐れがないリードスイッチの輸送構造及び輸送方法をも提供しようとするものである。
【００１０】
【課題を解決するための手段】
上記目的を達成するため、請求項１記載の発明にかかるリードスイッチの組付構造は、リードスイッチを実装した基板が組み付けられる成型品を支持する組立用パレットに、前記基板の組み付け中は前記リードスイッチの接点を閉操作する磁石を設けたことを特徴としている。
【００１１】
請求項２記載の発明にかかるリードスイッチの組付方法は、リードスイッチを実装した基板を成型品に組み付ける時は、前記リードスイッチの接点を閉操作する磁石を前記組立用パレットに設けることを特徴としている。
【００１２】
請求項３記載の発明にかかるリードスイッチの輸送構造は、多数個のリードスイッチを収納する輸送用容器に、前記リードスイッチの接点を一括して閉操作する磁石を設けたことを特徴としている。
【００１３】
請求項４記載の発明にかかるリードスイッチの輸送構造は請求項３に記載したものであり、磁石を電磁石とし、かつ、輸送後のリードスイッチを輸送用容器から取り出す時の前記電磁石は通電が停止されるものであることを特徴とする。
【００１４】
請求項５記載の発明にかかるリードスイッチの輸送方法は、多数個のリードスイッチを輸送用容器に収納して輸送する時、前記リードスイッチの接点を一括して閉操作する磁石を前記輸送用容器に設けることを特徴としている。
【００１５】
請求項６記載の発明にかかるリードスイッチの輸送方法は請求項５に記載したものであり、磁石を電磁石とし、かつ、輸送後のリードスイッチを輸送用容器から取り出す時の前記電磁石は通電が停止されることを特徴としている。
【００１６】
【発明の実施の形態】
図１は第１の実施形態にかかるリードスイッチの組付構造を分解して示す説明図、図２は第２の実施形態にかかるリードスイッチの輸送構造を分解して示す説明図であり、図３はその変形例にかかるリードスイッチの輸送構造を分解して示す説明図である。なお、本発明の実施形態を示す図１〜図３において、従来形態を示す図４と基本的に異ならない部品、部分には同一符号を付している。
［第１の実施形態］
リードスイッチが組み込まれた電子機器の例としてはワイヤレス発信器が周知であり、セキュリティーセンサとしてのリードスイッチを具備したワイヤレス発信器は、別置された受信器へセキュリティー信号を送信するものとなっている。そして、この種のワイヤレス発信器は、図１で示すように、リードスイッチ３を含む各種の電子部品（図示省略）が実装された回路基板４を樹脂製の成型品であるケース本体１の内部に組み付けたうえ、このケース本体１の開放面、つまり、回路基板４の露出面を着脱自在なケース蓋５で覆うことにより構成されている。
【００１７】
すなわち、このワイヤレス発信器におけるリードスイッチ３の組付構造では、本体ケース１を支持するための組立用パレット２を用意し、かつ、組立用パレット２でもって本体ケース１を支持した後、リードスイッチ３が実装された回路基板４を本体ケース１に組み付けることが行われる。そして、この際における組立用パレット２には、リードスイッチ３を実装した回路基板４の組み付け中はリードスイッチ３の接点を閉操作しておくための磁石７が設けられている。
【００１８】
このような磁石７を組立用パレット２に設けた場合、図１中の拡大図で示すように、回路基板４に実装されたリードスイッチ３の接点同士は、磁石７により強制的に閉操作させられる。そのため、ケース本体１の開放面をケース蓋５で覆うのに際し、ケース蓋５に設けられた係止部５ａを本体ケース１の被係止部１ａにはめ込んで係合するのに伴って瞬間的な衝撃が発生し、発生した衝撃による荷重がリードスイッチ３に作用することがあっても、磁石７により閉操作させられたリードスイッチ３の接点同士が互いに離反する方向へ拡がって塑性変形することは起こらない。
【００１９】
なお、必ずしも磁石７が組立用パレット２に常設されている必要はなく、リードスイッチ３が実装された回路基板４を本体ケース１に組み付ける時に使用される組立用パレット２に対し、磁石７を着脱可能として取り付けるようにしてもよい。すなわち、リードスイッチ３の接点を閉操作するための磁石７を必要な時のみ組立用パレット２に取り付けることとし、この組立用パレット２で支持された本体ケース１に対してリードスイッチ３が実装された回路基板４を組み付けるという組付方法も採用可能である。
［第２の実施形態］
ワイヤレス発信器等の電子機器に組み込まれるリードスイッチは、その多数個を輸送用容器に収納して一括的に輸送されるのが一般的であるが、これらの輸送時にあってもリードスイッチそれぞれの組付時と同じく、輸送に伴う衝撃が発生し、各リードスイッチに対して衝撃による荷重が作用することがある。そこで、リードスイッチの輸送構造では、図２で示すように、多数個のリードスイッチ３を収納する輸送用容器８に対し、リードスイッチ３の接点を一括して閉操作する磁石９を設けている。
【００２０】
このような磁石９が輸送用容器８に設けられている場合、輸送用容器８に収納されたリードスイッチ３それぞれの接点同士は、磁石９によって強制的に閉操作させられる。従って、輸送に伴う衝撃が発生することがあっても、輸送用容器８に設けられた磁石９によって閉操作させられたリードスイッチ３の接点同士が離反する方向へ拡がって塑性変形することは起こり得ない。
【００２１】
なお、常に磁石９を輸送用容器８に設けておく必要があるわけではなく、この輸送用容器８に対し、着脱可能な磁石９を取り付けるようにしてもよい。すなわち、各リードスイッチ３の接点を閉操作する磁石９を必要な時のみ輸送用容器８に取り付けるという輸送方法を採用することも可能である。
【００２２】
また、本実施形態では磁石９が永久磁石であるとしているが、図３で示す変形例のように、輸送用容器８に設けた磁石９が電磁石であるとし、かつ、輸送された後のリードスイッチ３それぞれを輸送用容器８から取り出す時には、電磁石に対する通電を停止する輸送構造としてもよい。このような輸送構造であれば、輸送用容器８から取り出そうとした時のリードスイッチ３が数珠繋ぎ状態を呈する（図３参照）ことが回避可能となり、リードスイッチ３を取り出しやすくなる。
【００２３】
なお、電磁石である磁石９が必ずしも輸送用容器８に常設されている必要はないのであり、輸送用容器８を使用してリードスイッチ３を輸送する時にのみ、この輸送用容器８に着脱可能な磁石９を取り付けることも可能である。すなわち、輸送用容器８に収納されたリードスイッチ３の接点を閉操作する電磁石である磁石９を必要とされる時だけ輸送用容器８に取り付けるようにしてもよい。
【００２４】
【発明の効果】
請求項１及び請求項２に記載したリードスイッチの組付構造及び組付方法によれば、組立用パレットに設けられた磁石によりリードスイッチの接点同士が強制的に閉操作させられる。従って、成型品を構成するのに伴って瞬間的な衝撃が発生し、衝撃による荷重がリードスイッチに作用することがあっても、磁石により閉操作させられたリードスイッチの接点同士が互いに離反する方向へ拡がって塑性変形することは起こらない。また、このような構成であれば、リードスイッチを気泡性樹脂中に埋設しておく必要がなくなり、リードスイッチの組付作業を容易化して組付作業の手間を省くことができる。
【００２５】
請求項３〜請求項６に記載したリードスイッチの輸送構造及び輸送方法を採用している場合には、輸送用容器に収納されたリードスイッチそれぞれの接点同士が磁石により強制的に閉操作させられる。そのため、輸送に伴う衝撃が発生しても、衝撃による荷重の作用によってリードスイッチの接点同士が離反する方向へ拡がって塑性変形することは起こらない。
【図面の簡単な説明】
【図１】第１の実施形態にかかるリードスイッチの組付構造及び組付方法を分解して示す説明図である。
【図２】第２の実施形態にかかるリードスイッチの輸送構造及び輸送方法を分解して示す説明図である。
【図３】その変形例にかかるリードスイッチの輸送構造及び輸送方法を分解して示す説明図である。
【図４】従来形態にかかるリードスイッチの組付構造を分解して示す説明図である。
【符号の説明】
１    本体ケース
２    組立用パレット
３    リードスイッチ
４    回路基板
５    ケース蓋
７    磁石
【図１】
2004288529.tif 000003
【図２】
2004288529.tif 000004
【図３】
2004288529.tif 000005
【図４】
2004288529.tif 000006